(57)【要約】【課題】  ジブの俯仰動作の検出に用いるスイッチの小型化、低コスト化を図ることができるようにする。【解決手段】  リミットスイッチボックス２６に、俯仰用ドラム１２の回転に連動する俯仰用ドラム回転連動軸２８と、俯仰用ドラム回転連動軸２８の回転により長手方向にスライドするストライカ３９と、ストライカ３９の動きからジブの俯仰動作の上限と下限を検出するためのマイクロスイッチ４１，４２を備えたリミットスイッチユニット２５の俯仰用ドラム回転連動軸２８に径方向に突出するストライカ５１を取り付ける。ストライカ５１の回転軌跡と対応する位置にジブ非常停止用マイクロスイッチ５２を設ける。このマイクロスイッチ５２がストライカ５１によって叩かれる方向から、俯仰用ドラムの回転方向を検出して、ジブの倒伏動作や起立動作を監視する。【選択図】図１
2008247587.tif 000002
【特許請求の範囲】
【請求項１】
リミットスイッチボックスと、デッキクレーンの俯仰用ドラムの回転に伴って回転する俯仰用ドラム回転連動軸と、該俯仰用ドラム回転連動軸の回転により該軸の長手方向所要個所に設けたねじ部に沿ってスライドするストライカと、該ストライカを検出するための俯仰上限検出用のスイッチ及び俯仰下限検出用のスイッチを備えて、デッキクレーンのジブ俯仰動作の上限と下限を制限できるようにしてあるリミットスイッチユニットにおける上記リミットスイッチボックス内に位置する上記俯仰用ドラム回転連動軸の所要個所に、上記ねじ部に沿ってスライドするストライカとは異なるストライカを設け、且つ該ストライカの回転軌跡と対応する位置に、ジブ非常停止用のスイッチを設けてなる構成を有する事を特徴とするデッキクレーンのジブ俯仰監視装置。
【発明の詳細な説明】
【技術分野】
【０００１】
本発明は、デッキクレーンのジブが運転操作に反して倒伏動作する虞を未然に防止するために、上記ジブの俯仰動作を監視するために用いるデッキクレーンのジブ俯仰監視装置に関するものである。
【背景技術】
【０００２】
貨物船のような船舶の甲板上に設置して、海上輸送貨物の積み込み及び陸揚げ作業に使用する荷役機械の１つとしてデッキクレーンがある。
【０００３】
かかるデッキクレーンの一般的な構成は、図２に示す如く、船舶の甲板（図示せず）上に設置してある所要の高さ寸法を備えた円筒状のクレーンポスト１の頂部に、機械室３と運転室４を備えた回転体２が、旋回自在に取り付けてある。更に、上記回転体２に、ジブ（ブーム）５の基端部を俯仰可能に取り付けると共に、上記機械室３内に、上記ジブ５をワイヤロープの巻上下を介して俯仰させるための俯仰用ウインチ６と、上記ジブ５の先端部より吊り下ろしたフック７に接続してあるワイヤロープ８を巻上下するための巻用ウインチ９と、上記回転体２をクレーンポスト１上で旋回させるための旋回用ユニット１０を備えた構成としてある（たとえば、特許文献１参照）。
【０００４】
図３は上記俯仰用ウインチ６と巻用ウインチ９の構成をより具体的に示すもので、以下のようにしてある。
【０００５】
すなわち、上記機械室３内の所要個所に、上下方向に所要の高さ寸法を有する左右１対のフレーム１１ａ，１１ｂが設けてある。上記俯仰用ウインチ６は、上記左右のフレーム１１ａ，１１ｂの間の上部位置に、俯仰用ドラム１２を配置して、該俯仰用ドラム１２の一端側（図３における右側）のドラム軸１３が、対応する一方のフレーム１１ａの上部位置に設けた図示しない軸受に回転自在に支持させてある。且つ上記俯仰用ドラム１２の他端側（図３における左側）のドラム軸（図示せず）は、対応する他方のフレーム１１ｂの上部位置に取り付けてある減速機１４に接続してあり、更に、該減速機１４には、俯仰用の油圧モータ１５を連結した構成としてある。
【０００６】
上記巻用ウインチ９は、上記左右のフレーム１１ａ，１１ｂの間の下部位置に、巻用ドラム１６を配置して、該巻用ドラム１６一端側（図３における右側）のドラム軸１７が、対応する一方のフレーム１１ａの下部位置に設けた図示しない軸受に回転自在に支持させてある。且つ上記巻用ドラム１６の他端側（図３における左側）のドラム軸（図示せず）は、対応する他方のフレーム１１ｂの下部位置に設けた減速機１８に接続してあり、更に、該減速機１８には、巻用の油圧モータ１９を連結した構成としてある。
【０００７】
２０は上記俯仰用油圧モータ１５に取り付けたブレーキ、２１は上記巻用の油圧モータ１９に取り付けたブレーキである。
【０００８】
以上の構成としてあるデッキクレーンのジブ５を俯仰動作させる場合は、運転者が上記運転室４にて図示しないジブ俯仰操作用のハンドルを操作すると、その操作に応じて上記俯仰用油圧モータ１５を正逆転駆動させることで、上記俯仰用ドラム１２よりジブ俯仰用のワイヤロープを巻出すことによる上記ジブ５の倒伏動作（下げ動作）と、上記俯仰用ドラム１２に上記ジブ俯仰用のワイヤロープを巻入れることによる上記ジブ５の起立動作（上げ動作）を行なわせることができるようにしてある。
【０００９】
ところで、上記ジブ５を俯仰動作させるときに俯仰用油圧モータ１５の内部漏れ油量が経年劣化等により過大となっている場合、運転者が図示しないジブ俯仰操作用のハンドルを、ジブ５の起立動作を指令する位置へ操作しても、実際には上記俯仰用ドラム１２からのジブ俯仰用のワイヤロープの巻出しが止まらずに、ジブ５が倒伏方向（下げ方向）へ動く自体が生じる虞が懸念される。
【００１０】
そのために、上記デッキクレーンでは、万一、運転室４における図示しないジブ俯仰操作用のハンドルの操作に反して上記ジブ５の倒伏動作が生じるときには、上記デッキクレーンの図示しない油圧ポンプを運転している電動モータを直ちに停止させてジブ５を非常停止させるようにすることが求められ、そのために、上記ジブ５の俯仰動作を監視する必要がある。
【００１１】
そのために、本出願人は、図３及び図４に示す如きジブ俯仰監視装置２２を考えている。すなわち、上記ジブ俯仰監視装置２２は、上記俯仰用ドラム１２の一端側のドラム軸１３を、上記一方のフレーム１１ａよりも外方に所要寸法突出させて、該ドラム軸１３の突出端部に、径方向に所要寸法突出するストライカ２３が取り付けてある。更に、上記ストライカ２３が上記俯仰用ドラム１２のドラム軸１３と一体に回転するときに該ストライカ２３の先端部が通る円軌道と対応する位置に、ジブ非常停止用リミットスイッチ２４を配置して、図示しない取付部材を介して上記一方のフレーム１１ａに取り付けた構成としてある。これにより、上記俯仰用ドラム１２が一回転するごとに、上記ジブ非常停止用リミットスイッチ２４のヘッド部（アクチュエータ部）２４ａが、上記俯仰用ドラム１２のドラム軸１３に取り付けてある上記ストライカ２３によって叩かれるようになることから、該ヘッド部２４ａが上記ストライカ２３によって叩かれるときの方向を基に、ジブ非常停止用リミットスイッチ２４により、上記俯仰用ドラム１２の回転方向が巻出し側又は巻取り側のいずれであるかを検出して、上記ジブ５が倒伏方向又は起立方向のいずれの方向に動作しているかを監視できるようにしてある。
【００１２】
したがって、たとえば、運転者が運転室４（図２参照）にてジブ俯仰操作用のハンドルをジブ起立側へ操作しているにもかかわらず、上記俯仰用ドラム１２のドラム軸１３上のストライカ２３が、俯仰用ドラム１３の巻出し方向に２回転以上して、上記ジブ非常停止用リミットスイッチ２４のヘッド部２４ａを２回叩くと、上記図示しない油圧ポンプ運転用の電動モータを直ちに停止させてジブ５を非常停止させるようにすることが可能になる。
【００１３】
ところで、一般に、デッキクレーンでは、ジブ５の俯仰動作に関して、ジブ５の起立側の限界（上限）である荷役最小旋回半径、及び、荷役時におけるジブ５の倒伏側の限界（下限）である荷役最大旋回半径と、フック７の昇降動作の上限及び下限とを規定して、荷役範囲を制限する必要がある。
【００１４】
そのために、本出願人は、上記したようなジブ５の俯仰動作の上限と下限、及び、上記フック７の昇降動作の上限と下限を検出して、上記デッキクレーンにおける荷役範囲を制限するための装置として、図５（イ）（ロ）及び図６に示す如きリミットスイッチユニット２５を設けることを考えている。
【００１５】
具体的には、上記リミットスイッチユニット２５は、前面に開口部を有し且つ前後方向に扁平な箱形のボックス本体２６ａと、該ボックス本体２６ａの前面開口部を開閉可能に閉塞させるためのパッキン２７を備えた蓋２６ｂとからなる防水構造のリミットスイッチボックス２６を備えるようにしてある。上記リミットスイッチボックス２６は、上記俯仰用ドラム１２及び巻用ドラム１６を支持する一方のフレーム１１ａの前面側に取り付けるようにしてある。
【００１６】
上記ボックス本体２６ａの上下方向の中間部には、左右水平方向に延びる俯仰用ドラム回転連動軸２８と、巻用ドラム回転連動軸２９とを上下に並べて配置して、該各軸２８，２９の長手方向両端部が、軸受３０を介して上記ボックス本体２６ａの左右の両側壁部にそれぞれ回転自在に支持させてある。
【００１７】
上記俯仰用ドラム回転連動軸２８の一端部（図５（イ）における右端部）は、上記軸受３０よりも外方へ所要寸法突出させて、該突出端部にスプロケットホイール３１が取り付けてある。更に、該スプロケットホイール３１と、上記一方のフレーム１３より外側へ突出させた上記俯仰用ドラム１２の一端側のドラム軸１３の一端部に取り付けたチェーンホイール３２との間に、チェーン３３を無端状に掛け回す。これにより、上記俯仰用ドラム１２が回転すると、上記チェーンホイール３２、チェーン３３、スプロケットホイール３１を介して上記俯仰用ドラム回転連動軸２８が、上記俯仰用ドラム１２と同方向へ回転させられるようにしてある。
【００１８】
上記巻用ドラム回転連動軸２９の一端部（図５（イ）における右端部）は、上記軸受３０よりも外方へ所要寸法突出させて、該突出端部における上記スプロケットホイール３１と干渉しない位置に、スプロケットホイール３４が取り付けてある。更に、該スプロケットホイール３４と、上記一方のフレーム１１ａよりも外側へ突出させた上記巻用ドラム１６のドラム軸１７の突出端部に取り付けたチェーンホイール３５との間に、チェーン３６を無端状に掛け回す。これにより、上記巻用ドラム１６が回転すると、上記チェーンホイール３５、チェーン３６、スプロケットホイール３４を介して上記巻用ドラム回転連動軸２９が、上記巻用ドラム１６と同方向に回転させられるようにしてある。
【００１９】
３７は上記各チェーン３３，３６のテンションを調整するためのテンションプーリである。
【００２０】
更に、上記リミットスイッチボックス２６内に位置する上記俯仰用ドラム回転連動軸２８の長手方向所要個所の外周面には、長手方向に所要の長さ寸法でねじ部３８を設けて、該ねじ部３８に螺合する図示しない雌ねじを備えたスリーブ４０を一体に備えたストライカ３９が取り付けてある。
【００２１】
上記ねじ部３８の右端部近傍位置には、俯仰上限検出用のスイッチとしての俯仰上限検出用マイクロスイッチ４１を設け、上記ねじ部３８の左端部寄り位置には、俯仰下限検出用のスイッチとしての俯仰下限検出用マイクロスイッチ４２を設けた構成としてある。これにより、上記俯仰用ドラム１２の巻入れ方向の回転により上記俯仰用ドラム回転連動軸２８が回転するときには、上記ストライカ３９が、上記ねじ部３８に沿って、右方向に、上記俯仰用ドラム１２の回転量に応じた移動量でスライドするようになる。したがって、上記ストライカ３９の右方向へのスライドが上記俯仰上限検出用マイクロスイッチ４１により検出された時点で、上記俯仰用ドラム１２の巻入れ方向の回転を停止させることで、荷役最小旋回半径となるジブ起立動作の上限を定めることができるようにしてある。
【００２２】
一方、上記俯仰用ドラム１２の巻出し方向の回転により上記俯仰用ドラム回転連動軸２８が回転するときには、上記スリーブ４０と一体のストライカ３９が、上記ねじ部３８に沿って、左方向へ、上記俯仰用ドラム１２の回転量に応じた移動量でスライドするようになる。したがって、上記ストライカ３９の左方向へのスライドが上記俯仰下限検出用マイクロスイッチ４１により検出された時点で、上記俯仰用ドラム１２の巻出し方向の回転を停止させることで、荷役最大旋回半径となるジブ倒伏動作の下限を定めることができるようにしてある。４３は上記ねじ部３８の左端部近傍位置に設けたジブ格納角度検出用マイクロスイッチであり、該ジブ格納角度検出用マイクロスイッチ４３により上記ストライカ３９が検出されることで、ジブ５を上記俯仰下限検出用マイクロスイッチ４２により規定される荷役時の下限位置よりも更に倒伏させて、該ジブ５の先端部を船舶の図示しないデッキ上の所定位置まで下ろして格納させるための角度姿勢を検出できるようにしてある。
【００２３】
上記リミットスイッチボックス２６内に位置する上記巻用ドラム回転連動軸２９の長手方向所要個所の外周面には、長手方向に所要の長さ寸法でねじ部４４を設けて、該ねじ部４４に螺合する図示しない雌ねじを備えたスリーブ４６を一体に備えたストライカ４５が取り付けてある。
【００２４】
上記ねじ部４４の右端部近傍位置には、巻上限検出用マイクロスイッチ４７を設け、上記ねじ部４４の左端部近傍位置には、巻下限検出用マイクロスイッチ４８を設けた構成としてある。これにより、上記巻用ドラム１６の巻入れ方向の回転により上記巻用ドラム回転連動軸２９が回転するときには、上記ストライカ４５が、上記ねじ部４４に沿って、右方向に、上記巻用ドラム１６の回転量に応じた移動量でスライドするようになる。したがって、上記ストライカ４５の右方向へのスライドが上記巻上限検出用マイクロスイッチ４７により検出された時点で、上記巻用ドラム１６の巻入れ方向の回転を停止させることで、巻用ドラム１６によるフック７に接続したワイヤロープの巻入れによるフック７の上げ動作の上限を定めることができるようにしてある。
【００２５】
一方、上記巻用ドラム１６の巻出し方向の回転により上記巻用ドラム回転連動軸２９が回転するときには、上記ストライカ４５が、上記ねじ部４４に沿って、左方向へ、上記巻
用ドラム１６の回転量に応じた移動量でスライドするようになる。したがって、上記ストライカ４５の左方向へのスライドが上記巻下限検出用マイクロスイッチ４７により検出された時点で、上記巻用ドラム１６の巻出し方向の回転を停止させることで、上記フック７の下げ動作の下限を定めることができるようにしてある。
【００２６】
４９は上記ジブ５の俯仰動作を検出するためのストライカ３９上に設けて、上記巻動作検出用のストライカ４５を検出するためのディファレンシャルスイッチであり、該ディファレンシャルスイッチ４９により上記ストライカ４５が検出されるときに、上記巻用ドラム１６の巻入れ方向の回転を停止させることで、フック７の上げ動作の上限を、上記ジブ５の俯仰角度に応じて変化させることができるようにしてある。
【００２７】
５０は上記リミットスイッチボックス２６内の各スイッチ４１，４２，４３，４７，４８，４９に接続してある図示しない配線を、ボックス内の防水性を確保しながら外部へ引き出すための配線引出口である。
【００２８】
【特許文献１】特開昭６１−８６３８７号公報
【発明の開示】
【発明が解決しようとする課題】
【００２９】
ところが、従来のデッキクレーンにおけるジブ５の俯仰を監視するジブ俯仰監視装置２２は、俯仰用ドラム１２を支持している一方のフレーム１１ｂよりも外方に突出させた上記俯仰用ドラム１２のドラム軸１３の突出端部にストライカ２３を取り付け、その近傍にジブ非常停止用リミットスイッチ２４が配設してあるため、該ジブ非常停止用リミットスイッチ２４は、デッキクレーンの機械室３（図２参照）の環境に暴露されている。そのために、上記ジブ非常停止用リミットスイッチ２４には、耐水性（耐候性）が要求されることから、該リミットスイッチ２４が大型化すると共に、コストが嵩むというのが実状である。更に、上記ジブ非常停止用リミットスイッチ２４は、上記一方のフレーム１１ｂの側方に配設されているため、上記機械室３の前面側からのメンテナンスが行ない難くなっている。
【００３０】
そこで、本発明は、ジブの俯仰動作を検出するために用いるスイッチに耐水性が求められることをなくして、該スイッチの小型化を図ることができると共に、コストの削減化を図ることができるデッキクレーンのジブ俯仰監視装置を提供しようとするものである。
【課題を解決するための手段】
【００３１】
本発明は、上記課題を解決するために、請求項１に対応して、リミットスイッチボックスと、デッキクレーンの俯仰用ドラムの回転に伴って回転する俯仰用ドラム回転連動軸と、該俯仰用ドラム回転連動軸の回転により該軸の長手方向所要個所に設けたねじ部に沿ってスライドするストライカと、該ストライカを検出するための俯仰上限検出用のスイッチ及び俯仰下限検出用のスイッチを備えて、デッキクレーンのジブ俯仰動作の上限と下限を制限できるようにしてあるリミットスイッチユニットにおける上記リミットスイッチボックス内に位置する上記俯仰用ドラム回転連動軸の所要個所に、上記ねじ部に沿ってスライドするストライカとは異なるストライカを設け、且つ該ストライカの回転軌跡と対応する位置に、ジブ非常停止用のスイッチを設けてなる構成とする。
【発明の効果】
【００３２】
本発明のデッキクレーンのジブ俯仰監視装置によれば、以下のような優れた効果を発揮する。 
（１）リミットスイッチボックスと、デッキクレーンの俯仰用ドラムの回転に伴って回転する俯仰用ドラム回転連動軸と、該俯仰用ドラム回転連動軸の回転により該軸の長手方向所要個所に設けたねじ部に沿ってスライドするストライカと、該ストライカを検出するための俯仰上限検出用のスイッチ及び俯仰下限検出用のスイッチを備えて、デッキクレーンのジブ俯仰動作の上限と下限を制限できるようにしてあるリミットスイッチユニットにおける上記リミットスイッチボックス内に位置する上記俯仰用ドラム回転連動軸の所要個所に、上記ねじ部に沿ってスライドするストライカとは異なるストライカを設け、且つ該ストライカの回転軌跡と対応する位置に、ジブ非常停止用のスイッチを設けてなる構成としてあるので、上記俯仰用ドラムの回転方向を、上記ジブ非常停止用のスイッチで検出できて、ジブの倒伏側及び起立側の動作を監視できる。 
（２）上記ジブ非常停止用のスイッチは、リミットスイッチユニットのリミットスイッチボックス内に組み込むことができるため、ジブ非常停止用のスイッチ自体に耐水性（耐候性）を求める必要がなくなる。よって、該ジブ非常停止用のスイッチの小型化を図ることができると共に、コストを削減することが可能になる。
【発明を実施するための最良の形態】
【００３３】
以下、本発明を実施するための最良の形態を図面を参照して説明する。
【００３４】
図１（イ）（ロ）は本発明のデッキクレーンのジブ俯仰監視装置の実施の一形態を示すもので、図２及び図３に示したと同様の構成としてあるデッキクレーンに、図５（イ）（ロ）及び図６に示したと同様に、デッキクレーンの俯仰用ドラム１２の回転によりドラム軸１３上のチェーンホイール３２、チェーン３３、スプロケットホイール３１を介して同方向に回転させられるようにしてある俯仰用ドラム回転連動軸２８を備えてなるリミットスイッチユニット２５を設けた構成において、上記俯仰用ドラム回転連動軸２８におけるリミットスイッチボックス２６内に位置する所要個所（図１（イ）では左端部）に、径方向に所要寸法突出するストライカ５１を取り付ける。更に、上記ストライカ５１が上記俯仰用ドラム回転連動軸２８と一体に回転するときに該ストライカ５１の先端部が通る円軌道と対応する位置に、ジブ非常停止用のスイッチとしてのジブ非常停止用マイクロスイッチ５２を配置して、取付部材５３を介して上記リミットスイッチボックス２６内の所要個所に取り付ける。これにより、俯仰用ドラム回転連動軸２８が一回転するごとに、上記ジブ非常停止用マイクロスイッチ５２のヘッド部５２ａが、上記俯仰用ドラム回転連動軸２８に取り付けてある上記ストライカ５１によって叩かれるようにしてジブ俯仰監視装置５４を構成するようにする。
【００３５】
その他の構成は図２、図３（イ）（ロ）及び図５（イ）（ロ）、図６に示したものと同様であり、同一のものには同一の符号が付してある。
【００３６】
以上の構成としてあるジブ俯仰監視装置５４を装備したデッキクレーンにて、俯仰用ウインチ６の俯仰用ドラム１２を巻出し側へ回転駆動してジブ５の倒伏動作を行なわせると（図２、図３参照）、上記俯仰用ドラム１２の回転により、上記リミットスイッチユニット２５の俯仰用ドラム回転連動軸２８が同方向、たとえば、図１（ロ）における反時計回り方向に回転させられる。このようにして上記俯仰用ドラム回転連動軸２８が回転すると、該俯仰用ドラム回転連動軸２８に取り付けてある上記ストライカ５１が一体に回転するため、上記俯仰用ドラム回転連動軸２８が一回転するごとに、上記ジブ非常停止用マイクロスイッチ５２のヘッド部５２ａが、上記ストライカ５１によって上記俯仰用ドラム回転連動軸２８の回転方向の下流側、すなわち、図１（ロ）における左方向へ叩かれる。
【００３７】
一方、デッキクレーンにおける俯仰用ウインチ６の俯仰用ドラム１２を、巻入れ側へ回転駆動してジブ５の起立動作を行なわせると（図２、図３参照）、上記俯仰用ドラム２１の回転により、上記リミットスイッチユニット２５の俯仰用ドラム回転連動軸２８が同方向、図１（ロ）における時計回り方向に回転させられる。このようにして上記俯仰用ドラム回転連動軸２８が回転すると、該俯仰用ドラム回転連動軸２８が一回転するごとに、上記ストライカ５１により、上記ジブ非常停止用マイクロスイッチ５２のヘッド部５２ａが、上記俯仰用ドラム回転連動軸２８の回転方向の下流側である図１（ロ）における右方向へ叩かれる。
【００３８】
したがって、上記ジブ非常停止用マイクロスイッチ５２のヘッド部５２ａが叩かれる方向を基に、上記俯仰用ドラム回転連動軸２８と同方向に回転している上記俯仰用ドラム１２の回転方向が、巻出し側又は巻き取り側のいずれであるかを検出できるようになることから、該検出される俯仰用ドラム１２の回転方向に基いて、上記ジブ５が倒伏方向又は起立方向のいずれの方向に動作しているかを監視できるようになる。
【００３９】
以上により、たとえば、運転者が運転室４（図２参照）にてジブ俯仰操作用のハンドルをジブ起立側へ操作しているにもかかわらず、上記ジブ非常停止用マイクロスイッチ５２のヘッド部５２ａが、上記俯仰用ドラム回転連動軸２８上のストライカ５１によって、図１（ロ）における左方向へ叩かれると、より確実には２回叩かれると、これを基に、上記ジブ俯仰操作用のハンドルの操作に反するジブ５の下げ動作が検出できるようになることから、直ちに図示しない油圧ポンプ運転用の電動モータを停止させてジブ５を非常停止させるようにすることが可能になる。
【００４０】
このように、本発明のデッキクレーンのジブ俯仰監視装置５４によれば、ジブ５の俯仰動作を監視するために用いるジブ非常停止用マイクロスイッチ５４を、本来、デッキクレーンの荷役範囲を制限するために設けてあるリミットスイッチユニット２５の耐水性（耐候性）を備えたリミットスイッチボックス２６内に組み込むことができる。これにより、上記ジブ非常停止用マイクロスイッチ５２に耐水性（耐候性）を求める必要がなくなるため、該ジブ非常停止用マイクロスイッチ５２の小型化を図ることができると共に、コストを削減することが可能になる。
【００４１】
更に、上記ジブ非常停止用マイクロスイッチ５２の配線は、上記リミットスイッチボックス２６内に、デッキクレーンの荷役範囲を制限するために設けてある他のスイッチ４１，４２，４３，４７，４８，４９の配線と一緒に、上記リミットスイッチボックス２６の配線引出口５０より引き出して配線工事を行なうことができる。よって、上記ジブ非常停止用マイクロスイッチ５２のための配線工事を別途行なう必要がないため、手間を省くことが可能になる。
【００４２】
更に又、上記ジブ非常停止用マイクロスイッチ５２は、前面側を開放できるリミットスイッチボックス２６内に設けてあるため、従来、一方のフレーム１１ａより外方へ突出させた俯仰用ドラム１２のドラム軸１３の一端部に取り付けていたジブ非常停止用リミットスイッチ２４に比して、メンテナンス性を向上させることが可能になる。
【００４３】
なお、本発明は、上記実施の形態にのみ限定されるものではなく、リミットスイッチボックス２６内に、俯仰用ドラム１２の回転に伴って回転する俯仰用ドラム回転連動軸２８を備えた形式のリミットスイッチユニット２５を備えていれば、いかなる形式のデッキクレーンにも適用できること、その他本発明の要旨を逸脱しない範囲内で種々変更を加え得ることは勿論である。
【図面の簡単な説明】
【００４４】
【図１】本発明のデッキクレーンのジブ俯仰監視装置の実施の一形態を示すもので、（イ）は概略切断正面図、（ロ）は（イ）のＡ−Ａ方向矢視図である。
【図２】従来のデッキクレーンの概要を示す斜視図である。
【図３】従来のデッキクレーンにおける俯仰用ウインチと巻用ウインチを拡大して示す一部切断正面図である。
【図４】本出願人が従来考えているジブ俯仰監視装置を示すもので、図３のＢ−Ｂ方向矢視拡大図である。
【図５】本出願人が従来考えているデッキクレーンの荷役範囲を制限するためのリミットスイッチユニットを示すもので、（イ）は切断概略正面図、（ロ）は（イ）のＣ−Ｃ方向矢視図である。
【図６】図５のリミットスイッチユニットを示すもので、図３のＤ−Ｄ方向矢視図である。
【符号の説明】
【００４５】
１２  俯仰用ドラム
２５  リミットスイッチユニット
２６  リミットスイッチボックス
２８  俯仰用ドラム回転連動軸
３８  ねじ部
３９  ストライカ
４１  俯仰上限検出用マイクロスイッチ（俯仰上限検出用のスイッチ）
４２  俯仰下限検出用マイクロスイッチ（俯仰下限検出用のスイッチ）
５１  ストライカ
５２  ジブ非常停止用マイクロスイッチ（ジブ非常停止用のスイッチ）
５４  ジブ俯仰監視装置
【図１】
2008247587.tif 000003
【図２】
2008247587.tif 000004
【図３】
2008247587.tif 000005
【図４】
2008247587.tif 000006
【図５】
2008247587.tif 000007
【図６】
2008247587.tif 000008